(57)【要約】      （修正有）【課題】１つの画像表示部から発せられる右目用画像の画像光およ左目用画像の画像光を立体画像として観察するときに観察者が装着する偏光眼鏡およびその製造方法の提供。【解決手段】偏光眼鏡は、前記観察者の右目側および左目側眼鏡に配されて、前記右目画像の画像光および前記左目用画像の画像光を偏光軸が互いに直交する直線偏光および光軸が互いに平行な直線偏光の一方に変換する位相差板１５３と、前記観察者の右目側眼鏡に配された前記位相差板において線偏光に変換された前記右目用画像の画像光の偏光軸と平行な偏光方向の光を透過する右目用偏光板１５２と、前記観察者の左目側眼鏡に配された前記位相差板１５１において線偏光に変換された前記左目用画像の画像光の偏光軸と平行な偏光方向の光を透過する左目用偏光板１５０と、少なくとも前記偏光板側に積層した少なくとも１層の透明プラスチック強化層Ｔとを備える。【選択図】図３
2010151954.tif 000002
【特許請求の範囲】
【請求項１】
偏光軸が互いに反対の方向に回転する円偏光に変換されて１つの画像表示部から発せられる右目用画像の画像光および左目用画像の画像光を立体画像として観察するときに観察者が装着する偏光眼鏡であって、
前記観察者の右目側および左目側眼鏡に配されて、前記右目画像の画像光および前記左目用画像の画像光を偏光軸が互いに直交する直線偏光および光軸が互いに平行な直線偏光の一方に変換する位相差板と、
前記観察者の右目側眼鏡に配された前記位相差板において線偏光に変換された前記右目用画像の画像光の偏光軸と平行な偏光方向の光を透過する右目用偏光板と、
前記観察者の左目側眼鏡に配された前記位相差板において線偏光に変換された前記左目用画像の画像光の偏光軸と平行な偏光方向の光を透過する左目用偏光板と、
右目側眼鏡および左目側眼鏡の少なくとも前記偏光板側に積層した少なくとも１層の透明プラスチック強化層とを積層して備え、
必要に応じて右目側眼鏡および左目側眼鏡の内外表面にハードコート層、あるいはさらにハードコート層の上に反射防止層を積層して備え、下記の特性（１）〜（４）を有することを特徴とする偏光眼鏡。
特性：
（１）各眼鏡は前記観察者の右目および左目の曲線に沿うように前記画像表示部側に対して凸状に湾曲して形成されて、前記観察者の右目および左目と各眼鏡の間から外部の光線が侵入するのを抑制する。
（２）各眼鏡の厚さが０．６〜２ｍｍ。
（３）偏光度  ９５％以上。
（４）視感度透過率  ３５％以上。
【請求項２】
前記透明プラスチック強化層がセルローストリアセテート（ＴＡＣ）から形成されていることを特徴とする請求項１記載の偏光眼鏡。
【請求項３】
前記右目用偏光板と左目用偏光板がヨード系偏光板であることを特徴とする請求項１あるいは請求項２記載の偏光眼鏡。
【請求項４】
下記の層構成を有することを特徴とする請求項１から請求項３のいずれかに記載の偏光眼鏡。
各目側から、ＴＡＣ／Ａｄ／ＴＡＣ／Ａｄ／偏光板／Ａｄ／ＴＡＣ／Ａｄ／位相差板／Ａｄ／ＴＡＣ
但し、
ＴＡＣ：セルローストリアセテート層（透明プラスチック強化層）
Ａｄ：接着剤あるいは粘着剤
【請求項５】
請求項１から請求項４のいずれかに記載の偏光眼鏡の製造方法であって、下記の工程（１）〜（４）を含むことを特徴とする偏光眼鏡の製造方法。
（１）まず、偏光板をＴでサンドイッチ積層して積層体（１０）（Ｔ／Ａｄ／偏光板／Ａｄ／Ｔ）を調製する。
（２）前記積層体（１０）の一方の面上に位相差板を供給しながら、前記積層体（１０）をＴでサンドイッチ積層して積層体（２０）（Ｔ／Ａｄ／Ｔ／Ａｄ／偏光板／Ａｄ／Ｔ／Ａｄ／位相差板／Ａｄ／Ｔ）を調製する。
（３）前記積層体（２０）を所定のサイズ・形状にカットする。
（４）所定のサイズ・形状にカットした前記積層体（２０）を予熱し、観察者の右目および左目の曲線に沿うように画像表示部側に対して凸状に湾曲して成形できるように設計・構成された金型を備えたプレス成形機を用いて加熱圧縮成形して偏光眼鏡を製造する。
但し，
Ｔ：透明プラスチック強化層
Ａｄ：接着剤あるいは粘着剤
【請求項６】
前記透明プラスチック強化層Ｔがセルローストリアセテート（ＴＡＣ）から形成されていることを特徴とする請求項６記載の偏光眼鏡の製造方法。
【発明の詳細な説明】
【技術分野】
【０００１】
本発明は、偏光眼鏡およびその製造方法に関するものであり、更に詳しくは、１つの画像表示部から発せられる右目用画像の画像光および左目用画像の画像光を立体画像として観察するときに観察者が装着する偏光眼鏡およびその製造方法に関するものである。
【背景技術】
【０００２】
観察者に対して立体画像を認識させる装置として、右目用の画像と左目用の画像をそれぞれ異なる領域に表示させる画像生成部、および、二つの異なる領域に入射した偏光の光軸を互いに直交させる偏光軸制御板を含む画像表示装置が知られており、このような画像表示装置により表示される上記右目用の画像および左目用の画像を観察者に立体画像として認識させる偏光眼鏡が知られている（例えば特許文献１、特許文献２参照）。
最近は、立体画像（以下、３Ｄと称すことがある）映画システムの新技術が開発された（ＲＥＡＬＤ社  ＣＩＮＥＭＡ）。この新技術でテレビ、モニター、ホームシアターなどで、立体画像として観察するときには従来使用されていた偏光板の他に特殊な位相差板を使用し複数の層を積層した偏光眼鏡の使用が必要になった（特許文献３参照）。
【特許文献１】特開平１０−２３２３６５号公報
【特許文献２】特開２００４−２６４３３８号公報
【特許文献３】特開２００８−１７０５５７号公報
【発明の開示】
【発明が解決しようとする課題】
【０００３】
しかし、従来の立体画像映画や家庭用立体画像ゲームなどのための偏光眼鏡は、使い捨てまたは数回リサイクルして使用するように設計されているので、眼鏡フレームが紙製であったり、安価なプラスチック素材製であり、眼鏡（レンズ）自体も０．５ｍｍ以下の薄いものであり、しかも眼鏡（レンズ）自体がフラットで平らであるので、下記の（１）〜（３）の問題があった。
（１）観察者の眼と眼鏡（レンズ）との間に距離ができて、この空間から外部の光が入射する光線量が多く、外部から光が入射すると、入射した光が眼鏡（レンズ）の内側表面で反射して観察者の眼に入るので、明るい場所では３Ｄ効果が弱くなる。
（２）従来はフリーサイズで作られているので、観察者によっては３Ｄ効果が弱くなる場合があった。
（３）０．５ｍｍ以下の薄いものであるので、強度が低く、一般に使用されている眼鏡フレームに固定して確実に装着できない。
【０００４】
そこで本発明の第１の目的は、前記問題（１）〜（３）を解決した偏光眼鏡であって、１つの画像表示部から発せられる右目用画像の画像光およ左目用画像の画像光を立体画像として観察するときに観察者が装着する偏光眼鏡を提供することであり、
本発明の第２の目的は、本発明の偏光眼鏡を容易に経済的に製造することができる製造方法を提供することである。
【課題を解決するための手段】
【０００５】
前記課題を解決するための本発明の請求項１記載の発明は、偏光軸が互いに反対の方向に回転する円偏光に変換されて１つの画像表示部から発せられる右目用画像の画像光および左目用画像の画像光を立体画像として観察するときに観察者が装着する偏光眼鏡であって、
前記観察者の右目側および左目側眼鏡に配されて、前記右目画像の画像光および前記左目用画像の画像光を偏光軸が互いに直交する直線偏光および光軸が互いに平行な直線偏光の一方に変換する位相差板と、
前記観察者の右目側眼鏡に配された前記位相差板において線偏光に変換された前記右目用画像の画像光の偏光軸と平行な偏光方向の光を透過する右目用偏光板と、
前記観察者の左目側眼鏡に配された前記位相差板において線偏光に変換された前記左目用画像の画像光の偏光軸と平行な偏光方向の光を透過する左目用偏光板と、
右目側眼鏡および左目側眼鏡の少なくとも前記偏光板側に積層した少なくとも１層の透明プラスチック強化層とを積層して備え、
必要に応じて右目側眼鏡および左目側眼鏡の内外表面にハードコート層、あるいはさらにハードコート層の上に反射防止層を積層して備え、下記の特性（１）〜（４）を有することを特徴とする偏光眼鏡である。
特性：
（１）各眼鏡は前記観察者の右目および左目の曲線に沿うように前記画像表示部側に対して凸状に湾曲して形成されて、前記観察者の右目および左目と各眼鏡の間から外部の光線が侵入するのを抑制する。
（２）各眼鏡の厚さが０．６〜２ｍｍ。
（３）偏光度  ９５％以上。
（４）視感度透過率  ３５％以上。
【０００６】
本発明の請求項２記載の発明は、請求項１記載の偏光眼鏡において、前記透明プラスチック強化層がセルローストリアセテート（ＴＡＣ）から形成されていることを特徴とする。
【０００７】
本発明の請求項３記載の発明は、請求項１あるいは請求項２記載の偏光眼鏡において、前記右目用偏光板と左目用偏光板がヨード系偏光板であることを特徴とする。
【０００８】
本発明の請求項４記載の発明は、請求項１から請求項３のいずれかに記載の偏光眼鏡において、下記の層構成を有することを特徴とする。
各目側から、ＴＡＣ／Ａｄ／ＴＡＣ／Ａｄ／偏光板／Ａｄ／ＴＡＣ／Ａｄ／位相差板／Ａｄ／ＴＡＣ
但し，
ＴＡＣ：セルローストリアセテート層（透明プラスチック強化層）
Ａｄ：接着剤あるいは粘着剤
【０００９】
本発明の請求項５記載の発明は、請求項１から請求項４のいずれかに記載の偏光眼鏡の製造方法であって、下記の工程（１）〜（４）を含むことを特徴とする偏光眼鏡の製造方法である。
（１）まず、偏光板をＴでサンドイッチ積層して積層体（１０）（Ｔ／Ａｄ／偏光板／Ａｄ／Ｔ）を調製する。
（２）前記積層体（１０）の一方の面上に位相差板を供給しながら、前記積層体（１０）をＴでサンドイッチ積層して積層体（２０）（Ｔ／Ａｄ／Ｔ／Ａｄ／偏光板／Ａｄ／Ｔ／Ａｄ／位相差板／Ａｄ／Ｔ）を調製する。
（３）前記積層体（２０）を所定のサイズ・形状にカットする。
（４）所定のサイズ・形状にカットした前記積層体（２０）を予熱し、観察者の右目および左目の曲線に沿うように画像表示部側に対して凸状に湾曲して成形できるように設計・構成された金型を備えたプレス成形機を用いて加熱圧縮成形して偏光眼鏡を製造する。
但し，
Ｔ：透明プラスチック強化層
Ａｄ：接着剤あるいは粘着剤
【００１０】
本発明の請求項６記載の発明は、請求項５記載の偏光眼鏡の製造方法において、前記透明プラスチック強化層Ｔがセルローストリアセテート（ＴＡＣ）から形成されていることを特徴とする。
【発明の効果】
【００１１】
本発明の請求項１記載の発明は、偏光軸が互いに反対の方向に回転する円偏光に変換されて１つの画像表示部から発せられる右目用画像の画像光および左目用画像の画像光を立体画像として観察するときに観察者が装着する偏光眼鏡であって、
前記観察者の右目側および左目側眼鏡に配されて、前記右目画像の画像光および前記左目用画像の画像光を偏光軸が互いに直交する直線偏光および光軸が互いに平行な直線偏光の一方に変換する位相差板と、
前記観察者の右目側眼鏡に配された前記位相差板において線偏光に変換された前記右目用画像の画像光の偏光軸と平行な偏光方向の光を透過する右目用偏光板と、
前記観察者の左目側眼鏡に配された前記位相差板において線偏光に変換された前記左目用画像の画像光の偏光軸と平行な偏光方向の光を透過する左目用偏光板と、
右目側眼鏡および左目側眼鏡の少なくとも前記偏光板側に積層した少なくとも１層の透明プラスチック強化層とを積層して備え、
必要に応じて右目側眼鏡および左目側眼鏡の内外表面にハードコート層、あるいはさらにハードコート層の上に反射防止層を積層して備え、下記の特性（１）〜（４）を有することを特徴とする偏光眼鏡であり、
各眼鏡を特定の凸状に湾曲して形成して、具体的には、例えば、レンズカーブを３〜８の範囲内となるように凸状に湾曲して形成して、観察者の右目および左目と各眼鏡との間から外部の光線が侵入するのを抑制したので、眼鏡（レンズ）の内側表面で反射して観察者の眼に入るのが抑制されて安定した視界を保つことができ、そして３Ｄ効果をより自然に、はっきりとさせて違和感なく使用することができ、明るい場所でも３Ｄ効果が得られるようになるとともに、特定の凸状に湾曲して形成するので眼鏡フレームのデザインも可能となるという顕著な効果が得られ、
また各眼鏡の厚さを０．６〜２ｍｍと厚くしたので、加熱圧縮成形性がよく、しわなどの欠点のない製品を容易に製造できるとともに、強度が高く、一般に使用されている眼鏡フレームに固定して確実に装着できるようになり、
偏光度が９５％以上、視感度透過率が３５％以上としたので、光線量が小さい映画、テレビ、モニター、ホームシアターなどで、立体画像として観察するときでも３Ｄ効果が得られ、かつ長時間使用しても疲れが少なく負担が軽減され、そのため映画鑑賞やゲーム中の使用は勿論、３Ｄ画像を使ってのデジタル処理やシュミレーター、医療現場での利用なども可能になるという顕著な効果を奏す。
【００１２】
本発明の請求項２記載の発明は、請求項１記載の偏光眼鏡において、前記透明プラスチック強化層がセルローストリアセテート（ＴＡＣ）から形成されていることを特徴とするものであり、透明性が高く、強度も大きく、かつ曲げ加工性もよいので透明プラスチック強化層として優れており、信頼性の高い偏光眼鏡が得られるというさらなる顕著な効果を奏す。
【００１３】
本発明の請求項３記載の発明は、請求項１あるいは請求項２記載の偏光眼鏡において、前記右目用偏光板と左目用偏光板がヨード系偏光板であることを特徴とするものであり、透明性が高く、うすい色を有するので光線量が小さい映画、テレビ、モニター、ホームシアターなどで、立体画像として観察するときでもより優れた３Ｄ効果が得られるというさらなる顕著な効果を奏す。
【００１４】
本発明の請求項４記載の発明は、請求項１から請求項３のいずれかに記載の偏光眼鏡において、前記の層構成を有することを特徴とするものであり、明るい場所でも良好な３Ｄ効果が得られ、強度が高く、一般に使用されている眼鏡フレームにも固定して確実に装着でき、光線量が小さく暗い映画、テレビ、モニター、ホームシアターなどで、立体画像として観察するときでもさらにより優れた３Ｄ効果が得られ、信頼性が高い、というさらなる顕著な効果を奏す。
【００１５】
本発明の請求項５記載の発明は、請求項１から請求項４のいずれかに記載の偏光眼鏡の製造方法であって、前記の工程（１）〜（４）を含むことを特徴とするものであり、本発明の偏光眼鏡を容易に経済的に製造することができるという顕著な効果を奏す。
【００１６】
本発明の請求項６記載の発明は、請求項５記載の偏光眼鏡の製造方法において、前記透明プラスチック強化層Ｔがセルローストリアセテート（ＴＡＣ）から形成されていることを特徴とするものであり、透明性が高く、強度も大きく、かつ曲げ加工性もよいので透明プラスチック強化層として優れており、信頼性の高い偏光眼鏡が得られるというさらなる顕著な効果を奏す。
【発明を実施するための最良の形態】
【００１７】
次に本発明を図を用いて説明する。
図１は、本発明で用いる画像表示部の１例を説明する説明図である。
図１は、図２に示した立体画像表示システム１０の一部である画像表示部２０の分解斜視図である。立体画像表示システム１０は、画像表示部２０と後述する本発明の偏光眼鏡１００とを備える。
図１に示すように、画像表示部２０は、光源３０と、偏光板４０と、画像生成部５０と、偏光板６０と、偏光軸制御板７０とをこの順で備え、これらが図示しない筐体に収容されている。図２に示すように、この画像表示部２０に示される立体画像を後述する観察者２００が観察する場合、図１における偏光軸制御板７０よりも右側から観察する。
【００１８】
光源３０は、観察者２００から見て画像表示部２０の最も奥側に配され、立体画表示システム１０の一部として画像表示部２０を使用している状態（以下、「画表示部２０の使用状態」と称する）において、白色の無偏光を偏光板４０の一面に向けて出射する。
なお、本実施形態では、光源３０に面光源を用いているが、面源に替えて例えば点光源と集光レンズとの組み合わせでもよい。この集光レンズの一例はフレネルレンズシートである。
【００１９】
偏光板４０は、画像生成部５０における光源３０側に配される。偏光板４０は透過軸およびこの透過軸に直交する吸収軸を有し、光源３０から出射した無偏光が入射すると、その無偏光のうち透過軸方向と平行な偏光軸の光を透過し、吸収軸方向と平行な偏光軸の光を遮断する。
ここで、偏光軸の方向とは、光における電界の振動方向のことであり、偏光板４０における透過軸の方向は、図１に矢印で示すように、観察者２００が画像表示部２０を見たときの水平方向から右上４５度の方向である。
【００２０】
画像生成部５０は、右目画像生成領域５１および左目画像生成領域５２を有する。これら右目画像生成領域５１および左目画像生成領域５２は、図１に示すように画像生成部５０を水平方向に区切った領域であり、複数の右目画像生成領域５１おび左目画像生成領域５２が鉛直方向に互い違いに配されている。
【００２１】
画像表示部２０の使用状態において、画像生成部５０の右目画像生成領域５１および左目画像生成領域５２には、それぞれ右目用画像および左目用画像が生成される。
このときに偏光板４０を透過した光が画像生成部５０の右目画像生成領域５１および左目画像生成領域５２に入射すると、右目画像生成領域５１の透過光は右目用画像の画像光（以下、「右目用画像光」と称する）となり、左目画像生成領域５２の透過光は左目用画像の画像光（以下、「左目用画像光」と称する）となる。
【００２２】
なお、右目画像生成領域５１を透過した右目用画像光および左目画像生成領域５２を透過した左目用画像光はそれぞれ特定方向の偏光軸を有する直線偏光である。
ここでそれぞれ特定方向の偏光とは、互いに同じ方向であってもよく、図１に示す例においては、ともに偏光軸が後述する偏光板６０における透過軸の方向と同じ方向である。
【００２３】
このような画像生成部５０には、例えば水平方向及び垂直方向に二次元的に複数の小さなセルが配され、各セルおいて配向膜間に液晶を封止したＬＣＤ（液晶ディスプレイ）が用いられる。このＬＣＤにおいて各セルを電気的に駆動することにより、各セルは、通過する光をその偏光軸方向を変えずに透過する状態と、偏光軸の方向を９０度回転させて透過する状態とを切り替える。
【００２４】
偏光板６０は、画像生成部５０における観察者２００側に配される。この偏光板６０は、上記右目画像生成領域５１を透過した右目用画像光、および、上記左目画像成領域５２を透過した左目用画像光が入射すると、これらのうち偏光軸が透過軸と平行な光を透過し、偏光軸が吸収軸と平行な光を遮断する。
ここで、偏光板６０における透過軸の方向は、図１に矢印で示すように、観察者２００が画像表示部２０を見たきの水平方向から左上４５度の方向である。
【００２５】
偏光軸制御板７０は、第一偏光領域７１および第二偏光領域７２を有する。ここで、第一偏光領域７１および第二偏光領域７２は、ともに１／４波長板であり、それぞれの光学軸が互いに直交する。
この偏光軸制御板７０における第一偏光領域７１および第二偏光領域７２の位置おび大きさは、画像生成部５０の右目画像生成領域５１およ左目画像生成領域５２の位置および大きさに対応している。したがって、画像表示部２０の使用状態において、第一偏光領域７１には、上記右目画像生成領域５１透過した右目用画像光が入射し、第二偏光領域７２には、上記左目画像生成領域５２を透過した左目用画像光が入射する。
【００２６】
図１に示す偏光軸制御板７０は、入射した光を偏光軸の回転方向が互いに逆方向である円偏光として出射する。例えば、第一偏光領域７１は入射した光を右回りの円偏光とて出射し、第二偏光領域７２は入射した光を左回りの円偏光として出射する。
ここで図１の偏光軸制御板７０の矢印は、この偏光軸制御板７０を通過した偏光の回転方を示している。第一偏光領域７１には、例えば光学軸が水平方向である１／４波長板が用いられ、第二偏光領域７２には、例えば光学軸が鉛直方向である１／４波長板が用られる。
【００２７】
図１に示す偏光軸制御板７０を備えた画像表示部２０を観察する場合、観察者２００は例えば図２に示す偏光眼鏡１００をかけて観察することが好ましい。
図２に示す偏光眼鏡１００には、観察者２００がこの偏光眼鏡１００をかけたときに観察者２００の右目２０１側にあたる位置に、画像表示部２０の側から順に、例えば図３に示すように、Ｔ／Ａｄ／１５３（右目用位相差板）／Ａｄ／Ｔ／Ａｄ／１５２（右目用偏光板）／Ａｄ／Ｔ／Ａｄ／Ｔとなるように積層されて形成された右目側眼鏡１６１が配され、左目２０２側にあたる位置に、画像表示部２０の側から順に、例えばＴ／Ａｄ／１５１（左目用位相差板）／Ａｄ／Ｔ／Ａｄ／１５０（左目用偏光板）／Ａｄ／Ｔ／Ａｄ／Ｔとなるように積層されて形成された左目側眼鏡１６０が配され、フレーム１５４に固定して装着されている。
必要に応じて右目側眼鏡１６１および左目側眼鏡１６０の外側表面や内側表面などの各表面にハードコート層あるいはさらにハードコート層の上に反射防止層を積層することができる。
但し、Ａｄは接着剤あるいは粘着剤、Ｔはセルローストリアセテート（ＴＡＣ）などの透明プラスチック強化層を示す。
【００２８】
そして、本発明の偏光眼鏡１００の右目側眼鏡１６１および左目側眼鏡１６０は下記の特性（１）〜（４）を有することが肝要である。
特性：
（１）各眼鏡は前記観察者の右目および左目の曲線に沿うように前記画像表示部側に対して凸状に湾曲して形成されて、前記観察者の右目および左目と各眼鏡の間から外部の光線が侵入するのを抑制する。
（２）各眼鏡の厚さが０．６〜２ｍｍ。
（３）偏光度  ９５％以上。
（４）視感度透過率  ３５％以上。
【００２９】
右目用偏光板１５２および左目用偏光板１５０は、ともに偏光軸方向が観察者２００から見て垂直である。これら右目用偏光板１５２および左目用偏光板１５０には、例えば、ヨード系偏光板や二色性染料を含浸させたフィルムを一軸延伸して得られる偏光板、好ましくはヨード系偏光板を貼り付けた偏光レンズが用いられる。
【００３０】
左目用位相差板１５１および右目用位相差板１５３には、それぞれの光学軸が互いに直交する１／４波長板が配される。例えば、右目用位相差板１５３には、ＴＡＣ、ポリカーボネートなどのポリマー樹脂材料で形成された１／４波長板が左斜め４５度に配され、左目用位相差板１５１には、ＴＡＣ、ポリカーボネートなどのポリマー樹脂材料で形成された１／４波長板が右斜め４５度に配される。
観察者２００は、前記偏光眼鏡１００をかけて画像表示部２０を観察するこにより、右目２０１では右目用画像光だけを観察することができ、左目２０２では左用画像光だけを観察することができる。
【００３１】
図４（イ）は右目側眼鏡１６１が観察者の右目の曲線に沿うように前記画像表示部側に対して特定の凸状に湾曲して形成されている場合、具体的には例えば、レンズカーブが３〜８の範囲内から右目の曲線に沿うように選択されるレンズカーブにて形成されている場合、（ロ）は右目側眼鏡１６１Ａが平面的にフラットに形成されている場合であり、（イ）のように右目側眼鏡１６１が特定の凸状に湾曲して形成されている場合は、観察者２００の右眼２０１と右目側眼鏡１６１との間に外部の光線Ａが侵入するのを抑制できるとともに、侵入した光線Ａが右目側眼鏡（レンズ）１６１の内側表面で反射して観察者２００の右眼２０１に入るのが抑制される。
【００３２】
図４（イ）に示したｄ（右目側眼鏡１６１の内表面から右眼２０１の表面までの平均距離）は人によって異なるが、日本人の場合は１２ｍｍ±５ｍｍの範囲であり、外人の場合は１４ｍｍ±５ｍｍの範囲である。ｄを適切な範囲に設定すると、画像にゆがみがなく、ゴーストが発生せず、きれいに見える効果がある。
（ロ）のようにレンズが平面的にフラットに形成されている場合はスクリーンに対して目線が平行な状態でのみ最適な３Ｄ画像を見ることができるのに対して、（イ）のようにｄを適切な値に設定したレンズの場合は、レンズと目との距離が一定しているので、スクリーンに対して目線が平行な状態だけでなく、目線が広い範囲で最適な３Ｄ画像を見ることができる利点がある。
【００３３】
マタ、図４（ロ）に示したように、右目側眼鏡１６１Ａは平面的にフラットに形成されている場合は、観察者２００の右眼２０１と右目側眼鏡１６１Ａとの間に外部の光線Ａが多く侵入する上、侵入した光線Ａが右目側眼鏡（レンズ）１６１Ａの内側表面で反射して観察者２００の右眼２０１に入る光線Ａの量が多くなり視認性が悪くなる上、画像にゆがみが発生したり、ゴーストが発生したりしてきれいに見えない。
【００３４】
本発明においては、偏光眼鏡１００の右目側眼鏡１６１および左目側眼鏡１６０を特定の凸状に湾曲して形成して、観察者２００の右目２０１および左目２０２と各眼鏡１６１および１６０との間から外部の光線Ａが侵入するのを抑制したので、右目側眼鏡（レンズ）１６１および左目側眼鏡（レンズ）１６０の内側表面で反射して観察者２００の右眼２０１および左眼２０２に入るのが抑制され、明るい場所でも３Ｄ効果が得られるようになる。
その結果、安定した視界を保つことができ、そして３Ｄ効果をより自然に、はっきりとさせて違和感なく使用できるようになるとともに、特定の凸状に湾曲して形成するので眼鏡フレームのデザインも可能となる。
【００３５】
図４（イ）に示したように、観察者の目の曲線に沿うように特定の凸状に湾曲して形成するためには後述するようにプレス加熱圧縮加工を行うが、ある一点を中心とし、１つのＲで形成されるカーブで前記特定の凸状湾曲が形成できると、金型などの設計、製造なども容易になり、コストダウンにもなるので好ましい。
【００３６】
本発明の偏光眼鏡１００は、右目側眼鏡１６１および左目側眼鏡１６０の厚さを、マイクロメータで測定して０．６〜２ｍｍ（＋５０μｍ、−３０μｍ）と厚くすることが肝要である。
厚さが０．６ｍｍ未満では、強度が低く不適になり剛性などの特性が不足して一般に使用されている眼鏡フレームに固定して確実に装着できない恐れがあり、またプレス加熱圧縮成形加工時にしわが発生する恐れがあり、逆に厚さが２ｍｍを超えると、プレス加熱圧縮加工が困難となる上、反発力が大きいので、特定の凸状に湾曲して形成するのが困難となる恐れがある。
厚さを０．６〜２ｍｍの範囲内とすることにより、プレス加熱圧縮成形性を向上させるとともに、強度、剛性などの特性を向上でき、一般に使用されている眼鏡フレームに固定して確実に装着できるようになる。
なお、本発明の偏光眼鏡の厚さとは、マイクロメータで測定した平均厚さであり、０．６〜２ｍｍ（精度は＋５０μｍ、−３０μｍ）である。
【００３７】
本発明の偏光眼鏡１００は右目側眼鏡１６１および左目側眼鏡１６０の偏光度が９５％以上であることが肝要である。
偏光度ＲはＪＩＳ  Ｓ  ７０２７の６．８によって測定した値である。
すなわち、ＪＩＳ  Ｔ  ８１４１の８．１（７）によって可視光線の平行位組合わせ透過率（Ｔｍａｘ（％））および直行位組合わせ透過率（Ｔｍｉｎ（％））とを測定し、次式（１）によって算出した値である。
Ｒ＝［（Ｔｍａｘ−Ｔｍｉｎ）／（Ｔｍａｘ＋Ｔｍｉｎ）］1/2 ×１００  （１）
偏光度が９５％未満であると立体画像として観察するとき明瞭な立体画像が見られない恐れがある。
【００３８】
本発明の偏光眼鏡１００は右目側眼鏡１６１および左目側眼鏡１６０の視感度透過率が３５％以上であることが肝要である。強度、剛性などの特性を損なわない範囲において視感度透過率は３５％以上できるだけ高いことが好ましい。視感度透過率の具体例としては、例えば５０％を挙げることができる。
視感度透過率が３５％未満であると光線量が小さい映画、テレビ、モニター、ホームシアターなどで、立体画像として観察するとき暗くて見にくくなり、３Ｄ効果が得られなく恐れがある。
なお、本発明の偏光眼鏡の視感度透過率とは、ＪＩＳ  Ｔ８１４７：２０００の８．試験ｃ）視感度透過率試験に準じて測定した値である。
すなわち、分光光度計を用いて波長３８０〜７８０ｎｍの分光透過率を測定し、次の式（１）によって計算する。
【００３９】
【数１】
2010151954.tif 000003
【００４０】
視感度透過率測定は、簡便法として、透過率計を用いてもよい。すなわち、光電受光器に視感度合わせ用フィルタを組み合わせて、その分光感度が標準比視感度Ｖ（λ）にほぼ一致するようにし、標準イルミナントＡに関する透過率測定を行う。
【００４１】
本発明の偏光眼鏡１００は偏光度が９５％以上、視感度透過率が３５％以上としたので、光線量が小さい映画、テレビ、モニター、ホームシアターなどで、立体画像として観察するときでも３Ｄ効果が得られ、かつ長時間使用しても疲れが少なく負担が軽減され、そのため映画鑑賞やゲーム中の使用は勿論、３Ｄ画像を使ってのデジタル処理やシュミレーター、医療現場での利用なども可能になる。
【００４２】
本発明の偏光眼鏡１００で用いる位相差板は、セルローストリアセテート（ＴＡＣ）、ポリカーボネート（ＰＣ）、ノルボルネン系ポリマなどを用いて公知の方法で製造されたものであり、本発明においては市販品を使用することができる。市販品としては、具体的には、例えば、ゼオノア（登録商標、日本ゼオン社製）、アートン（登録商標、ＪＳＲ社製）などを挙げることができる。
本発明で用いる位相差板の厚さは、特に限定されるものではないが、８０μｍ〜１４０μｍが好ましい。
【００４３】
本発明の偏光眼鏡１００で用いる偏光板は、ヨード系偏光板や二色性染を含浸させたフィルムを一軸延伸して得られる染色系偏光板を挙げることができる。しかし染色系偏光板は色が濃くうすい色にできないので、染色系偏光板を用いた偏光眼鏡は光量の少ない映画などの鑑賞用としては適しておらず、本発明においてはヨード系偏光板を好ましく使用できる。本発明においては市販品を使用することができる。市販品としては、具体的には、例えば、ＮＰＦ（登録商標、日東電工株式会社社製）を挙げることができる。
本発明で用いる偏光板の厚さは、特に限定されるものではないが、９０μｍ〜１５０μｍが好ましい。
【００４４】
本発明の偏光眼鏡１００の透明プラスチック強化層に用いられる透明プラスチックは、透明性が高く、強度、剛性が高く、かつ眼鏡レンズを容易に特定の凸状に湾曲して形成することができる優れた曲げ加工性を有するプラスチック出あればよく、具体的には、例えば、ポリウレタン、アクリル系ポリマー、あるいはこれらのポリマーを光照射重合や熱重合などの方法で合成できるモノマー組成物、ポリカーボネート、ポリビニルアルコール、ポリビニルアセタール、セルローストリアセテート（ＴＡＣ）などの酢酸セルロースなどを挙げることができる。本発明においては市販品を使用することができる。ＴＡＣ市販品としては、具体的には、例えば、フジタック（登録商標、富士フィルム社製）を挙げることができる。
【００４５】
中でもセルローストリアセテート（ＴＡＣ）は、透明性が高く、強度も大きく、かつ低温度での加熱および加水、湿度などの条件を選定し、プレス圧縮加熱成形やキャステイングなどの成形法などを使用すれば、眼鏡レンズを容易に特定の凸状に湾曲して形成することができる優れた曲げ加工性を有するので透明プラスチック強化層形成用透明プラスチックとして優れており、その結果、信頼性の高い偏光眼鏡が得られるため、本発明において好ましく使用することができる。
【００４６】
本発明の偏光眼鏡１００の各表面に必要に応じて積層されるハードコート層、ハードコート層の上に積層される反射防止層などは、公知の方法、装置を用いて積層することができ、また本発明においてはこれらの市販品を使用して積層することができる。
本発明で用いるハードコート層および反射防止層などの厚さは特に限定されるものではない。
【００４７】
本発明で用いる接着剤、粘着剤は、特に限定されるものではなく、公知のものを用いて公知の方法、装置を用いて適用することができる。
【００４８】
本発明で用いる保護フィルムは、特に限定されるものではなく、公知のものを用いて公知の方法、装置を用いて適用することができる。
【００４９】
本発明の偏光眼鏡１００の各層の積層の順番は各目側から偏光板／Ａｄ／位相差板の順となっていればよく、そして本発明の偏光眼鏡の左右の各眼鏡厚さを０．６〜２ｍｍと厚くすることができるような十分な厚さの透明プラスチック強化層が得られ、高い十分な強度が得られれば、透明プラスチック強化層は単層でもよく、積層する位置は、各目側の偏光板の表面に単層の透明プラスチック強化層を積層してもよく、逆に位相差板の側の表面に単層の透明プラスチック強化層を積層してもよい。
【００５０】
しかし実際にはそのような十分な厚さの透明プラスチック強化層が得られないので、通常は、２つ以上複数の透明プラスチック強化層を積層することにより、最終的に左右の各眼鏡厚さを０．６〜２ｍｍとする。
【００５１】
本発明の偏光眼鏡１００の実際の使用を考慮すると、傷付き防止などのために外側および内側の表面にハードコート層を形成することが好ましく、また位相差板の表面にはハードコート層を形成することが困難であるので、位相差板の表面に、ハードコート層を形成し易い透明プラスチック強化層を設けることが好ましい。
【００５２】
そして、本発明の偏光眼鏡１００の製造中、保管中、運搬中などにおける保護のために外側および内側の表面に保護層を形成し、使用時には剥離して使用できるようにすることが好ましい。
【００５３】
以上を考慮すると、層構成は、具体的には、例えば、各目側から、Ｐｒ／ＨＤ／ＴＡＣ／Ａｄ／ＴＡＣ／Ａｄ／偏光板／Ａｄ／ＴＡＣ／Ａｄ／位相差板／Ａｄ／ＴＡＣ／ＨＤ／Ｐｒとすることが好ましい。
Ｐｒ：保護フィルム
ＨＤ：ハードコート層
ＴＡＣ：セルローストリアセテート層（透明プラスチック強化層）
Ａｄ：接着剤あるいは粘着剤
【００５４】
しかし、少し厚い透明プラスチック強化層が得られる場合はＴＡＣ層の数を減じて、層構成を各目側から、例えば、Ｐｒ／ＨＤ／厚いＴＡＣ／Ａｄ／厚いＴＡＣ／Ａｄ／偏光板／Ａｄ／位相差板／Ｐｒとすることもできる。
【００５５】
次に本発明の偏光眼鏡の製造方法について説明する。
図５は、本発明の偏光眼鏡の製造方法の１例を説明する説明図である。
図５工程（１）に示すように、まず、偏光板（ＰＶＡ）１をＴＡＣ２（セルローストリアセテート（ＴＡＣ）：透明プラスチック強化層）で層間に図示しない接着剤（Ａｄ）を介在させてサンドイッチ積層して積層体（ラミネート）（１０）（ＴＡＣ２／Ａｄ／偏光板１／Ａｄ／ＴＡＣ２）を調製する。
【００５６】
次いで図５工程（２）に示すように、前記積層体（１０）の一方の面上に位相差板３を適切な方向および配置となるように供給しながら（位相差板３の位置と偏光板（ＰＶＡ）１の偏光軸の方向が高い優れた３Ｄ効果を得るのに重要であるので精密制御が必要である。したがって専用機である例えば、三共（株）のハルテックシリーズから選択される貼合機を使用することが好ましい）、前記積層体（１０）をＴＡＣ２（セルローストリアセテート（ＴＡＣ）：透明プラスチック強化層）で層間に図示しない接着剤（Ａｄ）を介在させてサンドイッチ積層して積層体（ラミネート）（２０）（ＴＡＣ／Ａｄ／ＴＡＣ／Ａｄ／偏光板／Ａｄ／ＴＡＣ／Ａｄ／位相差板／Ａｄ／ＴＡＣ）を調製する。
【００５７】
次いで図５工程（３）に示すように、工程（２）で得られた前記積層体（２０）を所定のサイズ・形状にカット（例えば、Ｃｈｉｐ  Ｃｕｔｔｉｎｇ  Ｍａｃｈｉｎｅ、ＴＯＫＯＣｏ．Ｌｔｄ／を用いる）する。
【００５８】
次いで図５工程（４）に示すように、工程（３）で所定のサイズ・形状にカットした前記積層体（２０）を予熱し、観察者の右目および左目の曲線に沿うように、画像表示部側に対して凸状に湾曲して成形できるように設計・構成された金型を備えたプレス成形機（例えば、ＬＥＭＡ  ＰＣＬ  ３２を使用する）４を用いて加熱圧縮成形して偏光眼鏡５を製造する。
偏光板１および位相差板３は熱に弱く、加熱によりその性能が損なわれ易いので、加熱は偏光板１および位相差板３の性能を損なわず、かつ観察者の右目および左目の曲線に沿うように特定の凸状に湾曲して形成することができ、しわがよったりしない加熱圧縮成形条件を選定する必要がある。
【００５９】
そのためには、温度と時間については、前記積層体（２０）の厚さやその素材の組み合わせなどにより異なるが、例えば所定のサイズ・形状にカットした前記積層体（２０）を予め４０〜８０℃に、例えば３分間予熱し、６０〜１５０℃で、例えば５〜１５分間、プレス加熱圧縮成形して偏光眼鏡を製造する例を挙げることができる。予熱やプレス加熱時の温度や時間の上限値を超えると偏光板１および位相差板３の性能が損なわれる恐れがある。
【００６０】
次いで図５工程（４）で製造した偏光眼鏡５を必要に応じて図示しないフレームに合うように、偏光軸の方向などを適切な方向にセットしてレンズ形状にカット（例えば、ＣＭＳＳｅｒｖｉｃｅ  ＳＬＯ／１Ａを用いる）する。
【００６１】
屋外で使用する偏光眼鏡５の場合は、ＵＶ４００を吸収できる処方のグレードのＴ（セルローストリアセテート（ＴＡＣ）：透明プラスチック強化層）を使用し、有害なＵＶＡ、ＵＶＢ、危険なブルーライトＨＥＶから目を守る設計にする。
【００６２】
視界を明瞭にするためには反射防止のためのコーテイングを前記工程（１）〜（３）の段階あるいは（４）の段階で施すことが好ましい。
【００６３】
以上、本発明を実施するための最良の形態について述べたが、本発明は既述の実施形態に限定されるものではなく、本発明の技術思想に基づいて各種の変形および変更が可能である。
例えば、上記実施形態では、本発明を位相差板の配置斜度を右目用位相差板１５３には、左斜め４５度に配され、左目用位相差板１５１には、右斜め４５度に配されと説明したが、これに限らず、直交する位置であれば使用することも可能であり、またその角度は画像表示部２０の設定により変動する。
【産業上の利用可能性】
【００６４】
本発明の偏光眼鏡は、各眼鏡を特定の凸状に湾曲して形成して、観察者の右目および左目と各眼鏡との間から外部の光線が侵入するのを抑制したので、眼鏡（レンズ）の内側表面で反射して観察者の眼に入るのが抑制されて安定した視界を保つことができ、そして３Ｄ効果をより自然に、はっきりとさせて違和感なく使用することができ、明るい場所でも３Ｄ効果が得られるようになるとともに、特定の凸状に湾曲して形成するので眼鏡フレームのデザインも可能となるという顕著な効果が得られ、
また各眼鏡の厚さを０．６〜２ｍｍと厚くしたので、強度が高く、一般に使用されている眼鏡フレームに固定して確実に装着できるようになり、
偏光度が９５％以上、視感度透過率が３５％以上としたので、光線量が小さい映画、テレビ、モニター、ホームシアターなどで、立体画像として観察するときでも３Ｄ効果が得られ、かつ長時間使用しても疲れが少なく負担が軽減され、そのため映画鑑賞やゲーム中の使用は勿論、３Ｄ画像を使ってのデジタル処理やシュミレーター、医療現場での利用なども可能になるという顕著な効果を奏するので、産業上の利用価値が高い。
【図面の簡単な説明】
【００６５】
【図１】図２に示した立体画像表示システム１０の一部である画像表示部２０の分解斜視図である。
【図２】立体画像表示システム１０の使用状態を示す概略図である。
【図３】立体画像表示システム１０により表示される立体画像の観察に用いる偏光眼鏡１００の分解斜視図である。
【図４】（イ）は眼鏡１６１が特定の凸状に湾曲して形成されている場合、（ロ）は眼鏡１６１Ａが平面的にフラットに形成されている場合を対比して説明する説明図である。
【図５】本発明の偏光眼鏡の製造方法の１例を説明する説明図である。
【符号の説明】
【００６６】
１  偏光板（ＰＶＡ）
２  ＴＡＣ
３  位相差板
４  プレス成形機
５  偏光眼鏡
１０  立体画像表示システム
２０  画像表示部
３０  光源
４０  偏光板
５０  画像生成部
５１  右目画像生成領域
５２  左目画像生成領域
６０  偏光板
７０  偏光軸制御板
７１  第一偏光領域
７２  第二偏光領域
１００  偏光眼鏡
１５０  左目用偏光板
１５１  左目用位相差板
１５２  右目用偏光板
１５３  右目用位相差板
１５４  フレーム
１６０  左目側眼鏡
１６１  右目側眼鏡
２００  観察者
２０１  右目
２０２  左目
（１０）、（２０）  積層体（ラミネート）
Ｐｒ  保護フィルム
ＨＤ  ハードコート層
ＴＡＣ、Ｔ  セルローストリアセテート層（透明プラスチック強化層）
Ａｄ  接着剤あるいは粘着剤
【図１】
2010151954.tif 000004
【図２】
2010151954.tif 000005
【図３】
2010151954.tif 000006
【図４】
2010151954.tif 000007
【図５】
2010151954.tif 000008